(57)【特許請求の範囲】
【請求項１】
ケース本体部と、該ケース本体部を開閉する蓋部と、上記ケース本体部と蓋部との間に介在されていて、上記ケース本体部に対して上記蓋部を開閉可能にヒンジ部で結合している背面部と、を備え、
上記ケース本体部と、上記蓋部と、上記背面部は、それぞれ収納部を有し、
上記背面部の内側には被収納物を挟着する上記ヒンジ部と略平行な一対の突条を備え、
ケース本体部又は上記蓋部の少なくともいずれか一方の内面には、上記被収納物を挟着、保持する対状のリブを備えていることを特徴とする収納ケース。
【請求項２】
上記対状リブのいずれか一方の被収納物側の側面上部には、上記被収納物の上面を抑える被収納物上面抑え用の凸部を備えていることを特徴とする請求項１に記載の収納ケース。
【請求項３】
上記ケース本体部と上記蓋部を閉じた状態に維持する閉止部材と閉止部材係合部が、上記ケース本体部と上記蓋部の開閉端側の側壁の中央部と、左右両側と、に配置されていることを特徴とする請求項１又は請求項２に記載の収納ケース。
【発明の詳細な説明】
【０００１】
【産業上の利用分野】
この発明は、フロッピーディスク等の薄板状の被収納物を収納して、持ち運ぶのに便利な収納ケースに関し、特に、ケース本体部又は蓋部の内面に確実に被収納物を係合、保持できるようにしたものである。
【０００２】
【従来の技術】
複数枚のフロッピーディスクを収納して持ち運ぶ場合などに使用する収納ケースとして、図９に示すようなものが開発されている。
【０００３】
この収納ケース１０１は、下蓋としてのケース本体部１０２と、該ケース本体部１０２の一側部に薄肉のヒンジ部１０３を介して連設された背面部１０４と、該背面部１０４の他側部に薄肉のヒンジ部１０５を介して連設された上蓋としての蓋部１０６とを備えている。
【０００４】
上記ケース本体部１０２と蓋部１０６の内面には、被収納物としてのフロッピーディスクＦＤを挾着するための対状のリブ１０７，１０８が設けられている。
【０００５】
また、上記ケース本体部１０２には閉止部材１０９が設けられていると共に、蓋部１０６には閉止部材係合部１１０が設けられている。
【０００６】
そして、上記ケース本体部１０２と蓋部１０６に設けた対状のリブ１０７，１０８の間にフロッピーディスクＦＤを挿入すると、該フロッピーディスクＦＤの一側面と他側面が上記リブ１０７，１０８で挾着、保持される。
【０００７】
しかるのち、上記ケース本体部１０２と蓋部１０６を重ね合わせた状態にすると、上記閉止部材１０９と閉止部材係合部１１０が係合して、所謂蓋をした状態に維持されるようになっている。
【０００８】
【発明が解決しようとする課題】
ところで上記従来の収納ケース１０１にあっては、ケース本体部１０２又は蓋部１０６の内面に突設した対状のリブ１０７，１０８の間にフロッピーディスクＦＤを、ただ単に挟んで保持するようになっていたために、次に述べるような問題点があった。
【０００９】
（１）ケース本体部１０２と蓋部１０６にそれぞれフロッピーディスクＦＤを保持することはできるが、これらケース本体部１０２と蓋部１０６に保持されたフロッピーディスクＦＤ間に他のフロッピーディスクＦＤを保持させることができない。（２）ケース本体部１０２に対して蓋部１０６を開閉する際に、リブ１０７，１０８の間からフロッピーディスクＦＤが脱落して、フロッピーディスクＦＤを落してしまうことがある。
【０００１０】
（３）持ち運ぶ際などに振動でフロッピーディスクＦＤがリブ１０７，１０８の間から外れて、カタコトと異音を発生したりする。
【００１１】
この発明は上記従来の問題点を解決し、ケース本体部や蓋部の内面に確実にフロッピーディスクを挾着、保持することのできる収納ケースを提供することを目的として為されたものである。
【００１２】
【課題を解決するための手段】
この発明は、ケース本体部と、該ケース本体部を開閉する蓋部と、上記ケース本体部と蓋部との間に介在されていて、上記ケース本体部に対して上記蓋部を開閉可能にヒンジ部で結合している背面部と、を備えた収納ケースにおいて、
上記ケース本体部と、上記蓋部と、上記背面部に、それぞれ収納部を設け、上記背面部の内側には上記ヒンジ部と略平行に被収納物を挟着する一対の突条を設け、
ケース本体部又は上記蓋部の少なくともいずれか一方の内面には、上記被収納物を挟着、保持する対状のリブを設けた。また、上記ケース本体部又は上記蓋部の少なくともいずれか一方の内面に設けた対状のリブのいずれか一方のリブの被収納物側の側面の上端部には、該被収納物の上面を抑える被収納物上面抑え用の凸部を設けた。
【００１３】
【作用】
ケース本体部と蓋部にそれぞれフロッピーディスク等の被収納物を保持することができる。また、これらケース本体部と蓋部に保持された被収納物の間において他の被収納物を上記背面部の内側に設けた一対の突条で保持することができる。
また、対状のリブの間にフロッピーディスク等の薄板状の被収納物を挾着すると、該被収納物の上面は、自ずと上記リブの上端部に設けた被収納物上面抑え用の凸部で抑えられる。
【００１４】
【実施例】
次に、この発明を図１〜図８を参照して説明する。
【００１５】
図１において、１は収納ケースである。
【００１６】
上記収納ケース１は、下蓋としてのケース本体部２と、該ケース本体部２を開閉する上蓋としての蓋部３と、上記ケース本体部２と蓋部３との間に介在されていて、上記ケース本体部２に対して蓋部３を開閉可能にヒンジ部４，５で結合している背面部６と、上記ケース本体部２および蓋部３の内面に突設されていて、被収納物としてのフロッピーディスクＦＤの一側面と他側面とに、それぞれ弾接して、該フロッピーディスクＦＤを挾着、保持する被収納物挾着用の対状の第１，第２のリブ７，８を有している。
【００１７】
上記ケース本体部２と蓋部３には第１〜第３の閉止部材１１〜１３と閉止部材係合部１４〜１６が設けられていて、ケース本体部２に蓋部３を重ね合わせた状態にすると、上記第１〜第３の閉止部材１１〜１３と閉止部材係合部１４〜１６が係合して、ケース本体部２と蓋部３は閉じられた状態に維持される。
【００１８】
上記ケース本体部２は、被収納物としてのフロッピーディスクの大きさに見合う大きさの四角形状に形成された底面板２１と、該底面板２１の内面の開閉端側に立設された開閉端側の側壁２２と、該開閉端側の側壁２２を挟むようにして上記底面板２１の内面の左右両側に立設された左右の側壁２３，２４とからなっていて、これら側壁２２〜２４内に被収納物としてのフロッピーディスクＦＤを収納できるようになっている。
【００１９】
そして、上記側壁２２〜２４内にフロッピーディスクＦＤを収納すると、該フロッピーディスクＦＤの一側面と他側面は、上記底面板２１上に立設された上記対状の第１，第２のリブ７，８で挾着されて、底面板２１上に保持されるようになっている。
【００２０】
蓋部３は、上記ケース本体部２と同様に、被収納物としてのフロッピーディスクＦＤの大きさに見合う大きさの四角形状に形成された底面板３１と、該底面板３１の内面の開閉端側に立設された開閉端側の側壁３２と、該開閉端側の側壁３２を挟むようにして、上記底面板３１の内面の左右両側に立設された左右の側壁３３，３４とからなっていて、これら側壁３２〜３４内に被収納物としてのフロッピーディスクＦＤを収納できるようになっている。
【００２１】
そして、上記側壁３２〜３４内にフロッピーディスクＦＤを収納すると、該フロッピーディスクＦＤの一側面と他側面は、上記底面板３１上に立設された上記対状の第１，第２のリブ７，８で挾着されて、底面板３１上に保持されるようになっている。
【００２２】
また、背面部６は薄肉のヒンジ部４，５を介して、上記ケース本体部２と蓋部３の間に介在されている。
【００２３】
上記背面部６の内面には、フロッピーディスクＦＤを挾着、支持する一対のフロッピーディスク挾着用の突条３５，３６が設けられている。
【００２４】
そして、上記ケース本体部２と蓋部３および背面部６に、それぞれフロッピーディスクＦＤを収納して、ケース本体部２と蓋部３を閉じると、これらケース本体部２の側壁２２〜２３と、蓋部３の側壁３２〜３４の先端面が重なり合って、ケース本体部２と蓋部３は密閉された状態になると共に、上記第１〜第３の閉止部材１１〜１３が第１〜第３の閉止部材係合部１４〜１６に係合して、ケース本体部２と蓋部３は閉じられた状態に維持されるようになっている。
【００２５】
上記第１の閉止部材１１は、ケース本体部２の開閉端側の側壁２２の内面の中央部に所定の幅の舌片１１ａを突設すると共に、該舌片１１ａの先端に係合突起１１ｂを設けることにより形成されている。
【００２６】
また、上記第１の閉止部材係合部１４は、蓋部３の開閉端側の側壁３２の中央部に上記舌片１１ａよりもやや広目の幅の切欠部１４を設けると共に、該切欠部１４ａの内面に被係合突起１４ｂを設けることにより形成されている。
【００２７】
そして、上記ケース本体部２と蓋部３を重ね合わせた状態にすると、上記舌片１１ａが切欠部１４ａに嵌まり込んで、係合突起１１ｂと被係合突起１４ｂが互いに係合して、ケース本体部２と蓋部３の中央部をロックした状態に維持するようになっている。
【００２８】
また、第２，第３の閉止部材１２，１３は、ケース本体部２の開閉端側の側壁２２の両側部、つまり左右の側壁２３，２４とのコーナー部の内面に、それぞれ舌片１２ａ，１３ａを突設し、これら舌片１２ａ，１３ａの側壁２３，２４側の側面の先端に係合突起１２ｂ，１３ｂを設けることにより形成されている。
【００２９】
上記舌片１２ａ，１３ａの一端部には、上記開閉端側の側壁２２に沿わせた状態で上記ヒンジ部４，５に対して略平行な補強用のリブ１２ｃ，１３ｃが設けられている。
【００３０】
また、第２，第３の閉止部材係合部１５，１６は、蓋部３の左右の側壁３３，３４の開閉端側の側壁３２側の端部に、被係合突起を設けることにより形成されている。
【００３１】
そして、上記ケース本体部２と蓋部３を重ね合わせた状態にすると、上記係合突起１２ｂ，１３ｂと、被係合突起としての閉止部材係合部１４，１５が、それぞれ係合して、ケース本体部２と蓋部３の左右の両側部をロックする。
【００３２】
そして、上記補強用のリブ１２ｃ，１３ｃで舌片１２ａ，１３ａのヒンジ部４，５の長さ方向への倒れを防止し、第２，第３の閉止部材１２，１３と閉止部材係合部１５，１６の係合状態を維持するようになっている。
【００３３】
上記対状の第１，第２のリブ７，８は、側壁２３，２４側に、それぞれ一対づつ合計２対、形成されている。
【００３４】
第１のリブ７は、ヒンジ部４の近傍に、該ヒンジ部４と略平行に設けられた起立壁７ａと、該起立壁７ａと、該起立壁７ａの一側面（リブ８と対向する面）の中央部に設けられた被収納物挾着用の凸部７ｂとからなっている。
【００３５】
また、第２のリブ８は、開閉端側の側壁２２の近傍に、該側壁２２と略平行に設けられた起立壁８ａと、該起立壁８ａの一側面（リブ７と対向する面）の第１のリブ７側に突出させた状態に設けられていて、被収納物としてのフロッピーディスクＦＤの上面を抑える被収納物上面抑え用の凸部８ｂとからなっている。
【００３６】
そして、上記第１のリブ７，７と、第２のリブ８，８の間に被収納物としてのフロッピーディスクＦＤを挿入すると、該フロッピーディスクＦＤは、その一側面と他側面を、これら第１のリブ７，７と、第２のリブ８，８で挟まれると共に、第２のリブ８，８の起立壁８ａ，８ａの上部に設けた被収納物上面抑え用の凸部８ｂで、その上面を抑えられるようになっている。
【００３７】
なお、上記収納ケース１はポリエチレンやポリスチレン等のプラスチックで一体に形成されている。
【００３８】
実施例の収納ケース１は以上のような構成であるから、ケース本体部２と蓋部３の対状の第１，第２のリブ７，８間に、それぞれ被収納物としてのフロッピーディスクＦＤを圧挿入すれば、フロッピーディスクＦＤの一側面と他側面は上記第１，第２のリブ７，８で挾着されると共に、上記第２のリブ８の起立壁８ａの上部に設けた被収納物上面抑え用の凸部８ｂにより上面を抑えられて、フロッピーディスクＦＤはケース本体部２と蓋部３の内面側にしっかりと収納された状態になる。
【００３９】
また、背面部６の内面に設けた一対のフロッピーディスク挾着用の突条３５，３６の間にもフロッピーディスクＦＤを挾着する。
【００４０】
上述のようにして、ケース本体部２と蓋部３および背面部６に、それぞれフロッピーディスクＦＤを収納したのち、ケース本体部２に対して蓋部３を閉じた状態にすると、これらケース本体部２と蓋部３に設けた第１〜第３の閉止部材１１〜１３と閉止部材係合部１４〜１６が互いに係合して、収納ケース１は密閉した状態に維持される。
【００４１】
また、第１〜第３の閉止部材１１〜１３と閉止部材係合部１４〜１６の係合を外すと、所謂蓋が開かれた状態になるが、上述したようにケース本体部２および蓋部３に収納されているフロッピーディスクＦＤは、その上面を被収納物上面抑え用の凸部８ｂで抑えられているので、ケース本体部２や蓋部３から脱落することはない。
【００４２】
そして、図７に示したように上記ケース本体部２や蓋３を反らせた状態にすると、フロッピーディスクＦＤはヒンジ部４側に設けたリブ７から抜け出て容易にケース本体部２や蓋部３から取出すことができるようになるのである。
【００４３】
なお、図面に示す実施例ではヒンジ部４側のリブ８に被収納物上面抑え用の凸部８ｂを設けた場合を示したが、他方のリブ７側に被収納物上面抑え用の凸部を設けてもよい。
【００４４】
また、被収納物上面抑え用の凸部８ｂは図８に示したように傾斜状に形成してもよい。
【００４５】
【発明の効果】
この発明の収納ケースには次に述べるような効果がある。
【００４６】
（１）ケース本体部と蓋部にそれぞれフロッピーディスク等の被収納物を保持することができる。また、これらケース本体部と蓋部に保持された被収納物の間において他の被収納物を上記背面部の内側に設けた一対の突条で保持することができる。
（２）被収納物の上面を被収納物上面抑え用の凸部で抑えるので、ケース本体部に対して蓋部を開閉する際でも、これらケース本体部や蓋部から被収納物が脱落するのを防止することができる。
【００４７】
（３）被収納物の上面を被収納物上面抑え用の凸部で抑えるので、持ち運び等の際にも、被収納物がリブの間から外れてカタコトと音を発声したりするのを防止することができる。
【図面の簡単な説明】
【図１】斜視図。
【図２】展開図。
【図３】第１のリブの平面図。
【図４】第１のリブの側面図。
【図５】第２のリブの平面図。
【図６】第２のリブの側面図。
【図７】フロッピーディスクの取出し状態の斜視図。
【図８】他の実施例の側面図。
【図９】従来例の斜視図。
【符号の説明】
１…収納ケース
２…ケース本体部
３…蓋部
４，５…ヒンジ部
６…背面部
７…被収納物挾着用の第１のリブ
８…被収納物挾着用の第２のリブ
８ｂ…被収納物上面抑え用の凸部
【図１】
0003568212.tif 000002
【図２】
0003568212.tif 000003
【図３】
0003568212.tif 000004
【図４】
0003568212.tif 000005
【図５】
0003568212.tif 000006
【図６】
0003568212.tif 000007
【図７】
0003568212.tif 000008
【図８】
0003568212.tif 000009
【図９】
0003568212.tif 000010